(57)【要約】【課題】合成ゴム製造装置における熱排水中の廃クラムの除去を、人力ではなく、機械的な手段により、安全かつ効率的に行う方法並びに装置を提供すること。【解決手段】合成ゴム製造装置の排水処理設備における廃クラム分離装置であって、製造工程からの廃クラム懸濁熱排水の流れを制御するゲートと、ゲートから流入する排水中の懸濁廃クラムをせき止めるための中途までの深さの堰がゲートからの流入口近くに設けられた排水ピットと、該堰の中を懸濁廃クラムを掻き上げるために上下する底部が多孔状であるバケット、および掻き上げた廃クラムをバケットから排出する手段とから構成された、合成ゴム製造装置排水中の廃クラム分離装置。【選択図】  なし【特許請求の範囲】
【請求項１】
合成ゴム製造装置の排水処理設備における廃クラム分離装置であって、製造工程からの廃クラム懸濁熱排水の流れを制御するゲートと、ゲートから流入する排水中の懸濁廃クラムをせき止めるための中途までの深さの堰がゲートからの流入口近くに設けられた排水ピットと、該堰の中を懸濁廃クラムを掻き上げるために上下する底部が多孔状であるバケット、および掻き上げた廃クラムをバケットから排出する手段とから構成された、合成ゴム製造装置排水中の廃クラム分離装置。
【請求項２】
前記ゲートによる廃クラム懸濁熱排水の流入、前記バケットの廃クラム掻き上げ上昇、廃クラム排出、および前記バケットの排水ピット中への下降というサイクルが自動制御された請求項１記載の廃クラム分離装置。
【発明の詳細な説明】
【０００１】
【発明の属する技術分野】
本発明は、合成ゴム製造装置排水中の廃クラム分離装置に関し、ゴム乾燥工程の排水中の廃クラムを、排水ピットから安全かつ効率的に分離する装置に関する。
【０００２】
【従来の技術】
合成ゴム製造工程の最終近くには、例えば乳化重合したゴムをクラム化して分離し、乾燥する工程があり、洗浄水等が熱排水として排出される。その熱排水には分離工程から漏れた小さな廃クラムが懸濁している。廃クラム懸濁熱排水は排水ピットに溜められ、懸濁廃クラムをできるだけ掬い取って、残りの排水の排水処理の負荷を低減していた。
従来、人力で排水ピット内の廃クラムを掬い取っていたが、誤って排水（約７０〜８０℃）ピット中に転落すると熱傷する危険があった。また、熱排水表面に廃クラムが溜まり過ぎると廃クラムが互いに融着、成長し、包丁などで切らなければ排水ピットから取り除くことができなくなるという問題があるため、かなり頻繁な掬い取り作業が必要であった。
【０００３】
【発明が解決しようとする課題】
かかる状況において、本発明は、合成ゴム製造装置における熱排水中の廃クラムの除去を、人力ではなく、機械的な手段により、安全かつ効率的に行う方法並びに装置を提供しようとするものである。
【０００４】
【課題を解決するための手段】
すなわち本発明は、合成ゴム製造装置の排水処理設備における廃クラム分離装置であって、製造工程からの廃クラム懸濁熱排水の流れを制御するゲートと、ゲートから流入する排水中の懸濁廃クラムをせき止めるための中途までの深さの堰がゲートからの流入口近くに設けられた排水ピットと、該堰の中を懸濁廃クラムを掻き上げるために上下する底部が多孔状であるバケット、および掻き上げた廃クラムをバケットから排出する手段とから構成された、合成ゴム製造装置排水中の廃クラム分離装置を提供する。
また、本発明は、前記ゲートによる廃クラム懸濁熱排水の流入、前記バケットの廃クラム掻き上げ上昇、廃クラム排出、および前記バケットの排水ピット中への下降というサイクルが自動制御された上記廃クラム分離装置を提供する。
【０００５】
【発明の実施の形態】
以下、本発明の一実施形態を、図１を参照しながら説明する。
【０００６】
製造工程からの廃クラム懸濁熱排水は、排水流路１を通って排水ピット２へ流れ込む。排水流路１の排水ピット２近くには、廃クラム懸濁熱排水の流れを遮断できる上下動する排水流入ゲート３が設けられている。
排水流入ゲート３は排水流路１の液面に垂直に設けられており、空気式シーケンスにより排水ピット２に流れ込む廃クラム懸濁熱排水の遮断、流入を制御する。
【０００７】
排水ピット２は、廃クラム懸濁熱排水を溜め、懸濁廃クラムをできるだけ除去して後の排水処理工程へ供するための一時的な貯槽であって、通常、０．５〜１．０ｍ３程度の矩形もしくは円形であり、排水はなお約７０〜８０℃、ｐＨ：５．０〜６．０程度の酸性の熱水である。
【０００８】
排水ピット２のゲートからの流入口近くには、流入する排水中の懸濁廃クラムをせき止めるための中途までの深さの堰４が設けられている。堰４は、排水ピット２中で主として表面近傍に浮上している懸濁廃クラムをせき止めることができるように位置している。堰４の材質は７０〜８０℃、ｐＨ：５．０〜６．０程度の酸性の熱水に耐えるものであれば特に限定されず、また、堰４の形状は懸濁廃クラムをせき止めることができるものであれば特に限定されないが、バケット５の形状との関係上、矩形が好ましい。
懸濁廃クラムがほとんど存在しない排水は堰４の下をくぐって堰４の外の排水ピット２に溜まり、後で排水処理工程に供される。
【０００９】
堰４の内部には、せき止められた懸濁廃クラムを掻き上げるための上下動するバケット５が存在する。バケット５は排水ピット２中に沈んだ位置から、懸濁廃クラムを掻き上げて排水ピット２上に出て、廃クラム掻き出し手段であるスクレーパー６のある位置まで上昇する。
バケット５は、底部が懸濁廃クラムのみを掻き上げられるよう多孔状であり、底部形状は多くの廃クラムが掻き上げられるよう堰４の内径に沿ったものであることが好ましい。また、多孔状とは、孔があけられていてもよく、ネット状であっても構わないが、通常、大きさが５〜１０ｍｍである球状もしくは楕円球状の懸濁廃クラムをできるかぎり多く拾うことのでき、かつ排水の通路は確保できる孔径および孔の数であることが望ましい。
また、バケット５の形状・構造は、特に限定されるものではないが、廃クラム掻き出し位置でスクレーパー６がバケット５の底部の廃クラムを掻き出せる形状・構造であることを要する。すなわち、例えば、スクレーパー６がバケット５の底部に水平方向に動いてバケット底部上の廃クラムをすべて掻き出せるには、バケット底部は平坦であることが好ましく、また、バケット５にはスクレーパー６の入口および出口が存在しなければならない。バケット５は、通常、側部にスクレーパー出入口を有し、上部は開放された直方体形状が好ましい。
なお、バケット５の上下動は、例えば、滑車機構７により行うことができ、バケット５には滑車機構７につながるワイア等の吊り下げ手段が設けられている。
【００１０】
掻き上げた廃クラムをバケット５から排出する手段は、次のように構成される。
バケット底部上の廃クラムを掻き出すためのスクレーパー６と、掻き出された廃クラムを受ける廃棄用のボックスパレット８からなり、バケット５の排出位置からボックスパレット８までスクレーパーで廃クラムを運ぶ通路９が設けられていてよい。
スクレーパー６は、バケット５の底面の廃クラムをできるだけ多く掻き出せるバケット底面の内幅とほぼ同じ幅の矩形の板状体（高さは任意である）であり、ボックスパレット８まで廃クラムを運ぶための水平動をするように、駆動手段１０に、直接もしくはつなぎ部材を介して取り付けられている。スクレーパー６の駆動手段１０への取り付け角度、また、スクレーパー６とバケット５底面との接触角度は、垂直であっても、スクレーパー下部が先になった傾斜状であってもよい。スクレーパー６の材質は、必要な剛度を有するものであれば特に制限されない。
ボックスパレット８に運ばれた廃クラムは焼却処分される。
【００１１】
以上のように構成された、本発明の合成ゴム製造装置排水中の廃クラム分離装置は、下記のように動作させる。
（１）バケット５が排水ピット２の堰４の内部に沈んだ状態で、排水流入ゲート２が開いて廃クラム懸濁熱排水が排水ピット２中へ流入する。
（２）一定量の廃クラム懸濁熱排水が流入した段階で排水流入ゲート２が閉じられる。
（３）バケット５が上昇し、堰４の内部の廃クラム懸濁熱排水を、液分を除去しながら廃クラムを掬い上げる。
（４）バケット５がスクレーパー６の所在位置まで上昇して停止すると、スクレーパー６がバケット５内に堆積している廃クラムを掻き出すように前進し、ボックスパレット８に廃クラムを投入して、スクレーパー６は後退し、原点位置に戻る。
以上を１サイクルとして、廃クラム懸濁熱排水中の廃クラム掻き上げ、処分を行うことができる。
【００１２】
本発明の合成ゴム製造装置排水中の廃クラム分離装置は、従来公知の必要な自動制御手段を採用することにより、排水流入ゲート２による廃クラム懸濁熱排水の流入、バケット５の廃クラム掻き上げ上昇、スクレーパー６による廃クラム排出、およびバケット５の排水ピット中への下降というサイクルを自動制御運転することができる。
かかる自動制御運転における要点は、排水流入ゲート２の開閉時期および開放時間である。製造品種、製造条件等により、排水中の廃クラム量が異なるであろうし、バケット５の廃クラム収容量等を考慮する必要がある。これらは、試運転等により開放時間の適切な設定が可能となる。
【００１３】
【発明の効果】
本発明により、合成ゴム製造装置における熱排水中の廃クラムの除去を、人力ではなく、機械的な手段により、安全かつ効率的に行う方法並びに装置を提供することができる。
また、自動制御できる設備とすることにより、従来に比し、大幅な工数削減が実現できる。
【図面の簡単な説明】
【図１】本発明の合成ゴム製造装置排水中の廃クラム分離装置の一例の概略を示す概念図である。
【符号の説明】
１  排水流路
２  排水ピット
３  排水流入ゲート
４  堰
５  バケット
６  スクレーパー
７  滑車機構
８  ボックスパレット
９  通路
１０  駆動手段
【図１】
2004267984.tif 000002